(57)【要約】  外観を選択的に変化させることが可能な機器（５０）は、少なくとも１個のフォトクロミック化合物及び機器の一部を形成する紫外線源（６０）を有する機器の収容部（６４）を含み、フォトクロミック化合物を有する機器の一部は紫外線源に露光させられる。フォトクロミック化合物による反応は機器の状態指示器を提供し又は状態指示器として作用する。機器は例えば携帯通信機器、携帯端末、ラップトップ型コンピュータ、カメラ、ＧＰＳ機器、印刷機、ビデオカメラ、車両、玩具、個人衛生機器、時計、計算機及び筆記用具等のかなり多くの機器であり得る。機器内におけるフォトクロミック化合物による反応が機器内の紫外線源（５４及び６０）のみによって制御されるように、機器は形成され得る。
2007508957.tif 000002
【特許請求の範囲】
【請求項１】
少なくとも１個のフォトクロミック化合物を有する機器の外観を選択的に変化させる方法であって、
該機器の一部を形成する紫外線源を通電する工程と、
該少なくとも１個のフォトクロミック化合物を有する機器の少なくとも一部を紫外線源に露光させる工程と
を含むことを特徴とする方法。
【請求項２】
前記紫外線源を通電する工程は、前記機器内の紫外線発光ダイオードに電力を供給する工程を含むことを特徴とする請求項１の方法。
【請求項３】
前記露光工程は更に前記機器内における機能状態指示を提供する工程を含むことを特徴とする請求項１の方法。
【請求項４】
前記方法は更に、前記少なくとも１個のフォトクロミック化合物を有する機器の一部への見かけ上の紫外線源入射強度を変化させる工程を含むことを特徴とする請求項１の方法。
【請求項５】
前記変化工程は前記見かけ上の紫外線源強度を変化させるためにデューティサイクルを変化させて、変色強度を変化させる工程を含むことを特徴とする請求項４の方法。
【請求項６】
前記機器は１個以上のフォトクロミック化合物及び各フォトクロミック化合物を反応させるように調整される１個以上の紫外線源を有しており、前記方法は更に夫々のフォトクロミック化合物を夫々の紫外線源に露光させるように夫々の紫外線光源を通電する工程を含むことを特徴とする請求項１の方法。
【請求項７】
前記方法は更に、前記機器内のフォトクロミック化合物を外部紫外線源を受け付けないようにさせる工程を含むことを特徴とする請求項１の方法。
【請求項８】
外観を選択的に変化させることが可能な機器であって、
少なくとも１個のフォトクロミック化合物を有する該機器の収容部と、
該機器の一部を形成する紫外線源とを含み、前記少なくとも１個のフォトクロミック化合物を有する機器の少なくとも一部を該紫外線源に露光させる
ことを特徴とする機器。
【請求項９】
前記紫外線源は少なくとも１個の紫外線発光ダイオードであることを特徴とする請求項８の機器。
【請求項１０】
前記少なくとも１個の紫外線発光ダイオードは少なくとも１個のＵＶ−Ａ  ＬＥＤ及び少なくとも１個のＵＶ−Ｂ  ＬＥＤを含むことを特徴とする請求項９の機器。
【請求項１１】
前記機器は前記少なくとも１個のＵＶ−Ａ  ＬＥＤと実質的に反応する少なくとも１個のフォトクロミック化合物を有する第１部分と、前記少なくとも１個のＵＶ−Ｂ  ＬＥＤと実質的に反応する少なくとも１個のフォトクロミック化合物を有する第２部分とを含むことを特徴とする請求項１０の機器。
【請求項１２】
前記紫外線源及び前記少なくとも１個のフォトクロミック化合物により結果的に生じる反応により、前記機器の状態指示器が得られることを特徴とする請求項８の機器。
【請求項１３】
前記機器は、携帯通信機器、携帯端末、ラップトップ型コンピュータ、カメラ、全地球測
位機器、印刷機、ビデオカメラ、車両、玩具、個人衛生機器、時計、計算機及び筆記用具を含むグループから選択されることを特徴とする請求項１２の機器。
【請求項１４】
前記状態指示器は、機器の電源充電状態、範囲内／外指示、機器の音声モード（無音／可聴）、音声メール待機指示、メッセージ待機指示、アクティブコール指示、特定人物呼び出し指示、緊急／優先呼び出し指示、機器設定、モード又は形態（週末、会社等）の中の少なくとも１個の指示を提供することを特徴とする請求項１３の機器。
【請求項１５】
前記状態指示器は、前記フォトクロミック化合物への前記見かけ上の紫外線源強度を変化させるべくデューティサイクルを変化させることにより、該フォトクロミック化合物の変色強度を変化させ得ることを特徴とする請求項１２の機器。
【請求項１６】
前記状態指示器は、音量レベル、信号強度、バッテリ充電レベル、不在着信件数、待機音声メール件数、待機メッセージ件数、インクレベル、メモリ使用レベル、利用可能メモリ、撮影写真数、残り時間、燃料レベル及び移動距離を含むグループから選択された少なくとも１個の指示を提供することを特徴とする請求項１５の機器。
【請求項１７】
前記機器は外部紫外線源を受け付けないフォトクロミック化合物を該機器内に有するように配置及び構成されることを特徴とする請求項８の機器。
【請求項１８】
前記機器は、該機器内における前記フォトクロミック化合物による反応が、該機器内の紫外線源によってのみ制御されるように配置及び構成されることを特徴とする請求項８の機器。
【請求項１９】
前記機器は更に、外部源から該機器への紫外線を実質的に遮断する材料を含むことを特徴とする請求項１８の機器。
【発明の詳細な説明】
【技術分野】
【０００１】
本発明は概してフォトクロミック化合物材料の使用法に関し、とりわけ製品へのフォトクロミック材料の機能的な使用法に関する。
【背景技術】
【０００２】
フォトクロミック化合物（高分子マトリックス化合物としても周知である）技術は、コンタクトレンズ、サングラス又は他のプラスチック製透明物等、多くの不透明製品並びに光学的に明澄な製品に利用されてきた。周知のフォトクロミック化合物ブランドの一つは、スペクトラクロム（Ｓｐｅｃｔｒａｃｈｒｏｍｅ）（商標名）と呼ばれる。特許文献１は高分子マトリックス化合物の化学的特長について論じている。太陽光線の中の紫外線又は水銀ランプの光線等、紫外（ＵＶ）線を含む電磁放射線に露光された時に、多くのフォトクロミック化合物は可逆的変色を示す。紫外線が中止させられた時には、このフォトクロミック化合物は元の色又は無色の状態に戻る。
【特許文献１】米国特許第６，５５５，０２８号
【発明の開示】
【発明が解決しようとする課題】
【０００３】
フォトクロミック化合物に対する多くの周知のアプリケーションは、機能的な強化よりむしろ製品へ美的強化を付与する。多様な色が利用可能であり、それらの色は概してＵＶ線に露光されるまで明澄なままである。幾つかの企業はフォトクロミック材料を、粉末形態、マイクロカプセル形態、及び（プラスチックへすぐに注入できる）マスターバッチ形態を含む様々な形態で供給する。フォトクロミック化合物は生の形態でも利用可能であると共に、幾つかの方法で製品へ適用され得る。最も単純な方法はエアブラシを使用することであり、続いて・・・塗膜が付与される。サングラス枠及びフリスビー等の既存の商業的使用法では、製品のプラスチック材料へ埋設又は注入されたフォトクロミック化合物の色素形態を使用する。他の企業ではフォトクロミックのコンタクトレンズ及びサングラスレンズを創作してきた。しかし、これらの使用法の中には美的機能以外の付加機能を提供するものはないと思われ、またこれらの機能は使用者により選択されるものではない。
【課題を解決するための手段】
【０００４】
多くのフォトクロミック化合物技術アプリケーションが多くの機器への機能的改善を付与し得る。例えば、キーパッド又は機器の他部分上のボタンの強調、或いは表示器背面又はレンズの被覆は、機器表示器の読みやすさを改善する。付加的な機能アプリケーションは、表示器上の別の色と一致させる（又は別の色を不明瞭にする）ＵＶ露光の結果色を変化させることにより、或いは他の場所において目視から視覚的に不明瞭にすることによりカモフラージュを与えることができる。本概念の他の実施形態は、フォトクロミック化合物材料の能動（使用者又は機器制御）ＵＶ露光を使用して実施され得ることで、機器がそれ自体の色変化を制御し得る。
【０００５】
本発明に係る第１実施形態において、少なくとも１個のフォトクロミック化合物を有する機器の外観を選択的に変化させる方法は、機器の一部を形成する紫外線源を通電する工程と、少なくとも１個のフォトクロミック化合物を有する機器の少なくとも一部を紫外線源に露光させる工程を含む。ＵＶ線源はＵＶ発光ダイオード（ＬＥＤ）、水銀ランプ又は他のＵＶ光源であってよい。本方法は更に、少なくとも１個のフォトクロミック化合物を有する機器の一部への見かけ上の紫外線源入射強度を変化させる工程を含んでもよい。当然のことながら、機器は同じＵＶ光源に別に反応する（別色に変化する）１個以上のフォトクロミック化合物を含むことができる。更に、機器は別のＵＶ光源に別に反応する１個
以上のフォトクロミック化合物を含むことができる。
【０００６】
第２実施形態において、外観を選択的に変化させることが可能な機器は、少なくとも１個のフォトクロミック化合物及び機器の一部を形成する紫外線源を有する機器の収納部を含み得る。少なくとも１個のフォトクロミック化合物を有する機器の少なくとも一部は紫外線源に露光される。フォトクロミック化合物による反応は機器の状態指示器を提供し、或いは状態指示器として作用する。２〜３例を挙げると、携帯通信機器、携帯端末、ラップトップ型コンピュータ、カメラ、機器は全地球測位機器、印刷機、ビデオカメラ、車両、玩具、個人衛生機器、時計、計算機及び筆記用具等、かなり多くの機器であってよい。機器はまた、機器内におけるフォトクロミック化合物による反応が機器内の紫外線源によってのみ制御されるように配置及び構成され得る。
【０００７】
第３実施形態において、外観を変化させることが可能な機器は、少なくとも１個のフォトクロミック化合物及び少なくとも１個の光電池を内部に有する収容部を含み、フォトクロミック化合物を有する収容部は、外部光源が収容部を介して光電池を通電させることを可能にする。
【０００８】
第４実施形態において、電子機器はハウジング、表示器レンズ及びハウジングの孔内に複数のボタンを含むと共に、ハウジング、表示器レンズ及び複数のボタンの中の少なくとも１個上に少なくとも１個のフォトクロミック化合物を含み、紫外線への露光により少なくとも１個のフォトクロミック化合物は変色する。
【０００９】
更に別の実施形態において、筆記用具はハウジングを含むと共にハウジング内にインクカートリッジを含み、ハウジング内のインクカートリッジは紫外線に露光させられた時に変色するフォトクロミック化合物を含む。
【発明を実施するための最良の形態】
【００１０】
図１を参照すると、フリスビー即ち空飛ぶ円盤１０等の既存の消費財が示されており、円盤１０の少なくとも一部１２には、その部分１２が太陽等のＵＶ光源１４に露光された時に（シェーディングにより表される）異なった色に変色することが可能なフォトクロミック化合物が埋設されている。
【００１１】
図２を参照すると、携帯通信ラジオ２０のような機器が図示されている。ラジオ２０はフォトクロミック化合物がハウジング上にあり又はハウジング内に埋設されたハウジング２２を有することができる。ハウジング２２は様々な種類のプラスチック又は他の材料から形成できる。この特定の実施形態において、ラジオ２０は更にＵＶ−ＬＥＤ等の内部ＵＶ光源２４を含む。ＵＶ光源２４は太陽等の受動ＵＶ光源とは対照的な能動源と考えられる。ラジオはまた、表示器のレンズ上又は表示器の裏面上にフォトクロミック化合物も有することができる液晶表示器（ＬＣＤ）等の表示器２６を含む。
【００１２】
図３を参照すると、携帯電話、計算機、携帯端末、又はかなり多数の他の機器等の機器３０のハウジング即ち面板３２が図示されている。ハウジング３２はキーパッド用孔３４又は表示器用孔３６等、かなり多数の孔を含むことができる。ハウジング３２は光の中から外で出たときには透明色を有すると共に、ＵＶ光源３５に露光されたときにはより暗い又はより不透明な色を有し得る。例えば、透明なハウジングは機器ハウジングの外側に、非露光状態では透明なままであり、ＵＶに露光された時に特定の色（又は様々な色素を使用した多くの色）へ変化するフォトクロミック材料を備えた被膜を有することができる。また注意すべきであるが、機器の全表面が被覆される必要はない。代わりに、ある部分（キーパッド、バッテリカバー、キーパッド又はハウジングの一部等）のみが被覆されてもよい。
【００１３】
同様に図４において、機器４０のハウジング４２はキーパッド用孔４４又は表示器用孔４６等のかなり多数の孔を含むことができる。ハウジング４２はＵＶ光に露光されていない時には（水平方向のシェーディングにより表される）第１色を有し、且つＵＶ光源４５に露光された時に（対角線シェーディングにより表される）異なった色を有することができる。例えば、機器ハウジングの外側のフォトクロミック色素を備えた被膜は、機器がその非露光状態で第１色のままであり、且つＵＶに露光された時に異なった色（又は異なった色素を使用した多くの色）に変化するように付与され得る。
【００１４】
ハウジング３２及び４２は受動源を利用するが、変色は極めて機能的である。例えば、ハウジング（基材）及び様々な状態における色素の間の色差は、機器の特定部分をカモフラージュする（視覚的に隠す）ために使用できる。例えば、特定のボタン又はロゴを伴うハウジング部分はＵＶ光に露光された時に視覚的に隠され得る。ハウジング（基材）及び様々な状態における色素の間の色差はまた、機器の特定部分の視認性を強化する（コントラストを増強させる）ために使用できる。例えば、特定のボタン又はロゴを伴うハウジング部分はまた、強調され得る。更に、ＬＣＤ表示器又は背面光へのフォトクロミック化合物の使用はまた、機器が明るい太陽光の中にある時に表示器色及び視認性に影響を及ぼすように使用できる。
【００１５】
これらの製品が受動光源を使用する時には、可変面板を使用する製品全体に亘り幾つかの効果が明白になる。例えば、フォトクロミック材料は製品製造の間に付加され、消費者によって付加されないので、外観を変化させるために付加材料は消費者によって付加されず、また付加的な在庫が製造業者又は販売者によって運送される必要はない。更に、消費者は面板を切り替え、取り外し、或いは組み立て且つ分解する必要はない。部品の減少は当然、面板の破損及びアタッチメント点の損耗に起因する保証及び修理費用を減少させる。当然のことながら、受動源の欠点としては、機器がＵＶに露光された時のみに変色が起こり、使用者が望むいかなる時に選択的に起こらない。
【００１６】
図５及び図６を参照すると、フォトクロミック化合物及び能動ＵＶ光源を有する携帯通信ラジオ又は他の電子機器等の機器が図示されている。図６の機器５０はハウジング５２を含み、ハウジング５２はフォトクロミック化合物が被覆された部分５６，５８及び６４を有する。機器５０は更にハウジング５２内に表示器６５及びＵＶ−ＬＥＤ５４及び６０を含むが、本発明は能動源をハウジング内に必然的に有するように限定されない。図６の機器１００は、フォトクロミック化合物が選択的に被覆又は埋設されたハウジングと、表示器１０６と、ＵＶ  ＬＥＤ１０８及び１０９とを有するのに加えて、機器１００は更に任意で光導体１１０を介したＵＶエネルギのパイピング方法を含む。ＵＶエネルギは機器ハウジング基材の内部、外部又はその中においてフォトクロミック被膜を照明するためにもたらされ得る。このように実装することにより、変色が使用者の任意で、又はソフトウェア内の事前定義事象に基づいて起きる。これらの実施形態は概して付加的なソフトウェア及び材料（ＬＥＤ又は他のＵＶ線源）、並びにバッテリ寿命にある程度影響を与えるユニットの電源によるそれらＵＶ線源への電力供給を必要とする。
【００１７】
ＵＶ  ＬＥＤのアプリケーション方法は、現行の電話への標準的なＬＥＤの埋設方法と極めて類似しているので、当該技術分野に属する者には簡単である。ＵＶ  ＬＥＤは通常のＬＥＤ実装（面固定、案内等）と同様な実装選択対象において利用可能である。光導体は又これらの種類の機器において、本産業では通常に使用される。
【００１８】
前述したように、ここに請求される進歩的概念は２〜３例を挙げると、携帯通信機器、携帯端末、ラップトップ型コンピュータ、カメラ、全地球測位機器、プリンタ、ビデオカメラ、車両、玩具、個人衛生機器、時計、計算機及び筆記用具等の様々な機器に適用され
得る。この点に関して、図５の機器５０におけるＵＶ  ＬＥＤ５４及び６０等の能動源は部分５６，５８及び６４におけるハウジング５２のフォトクロミック化合物と共に、各種の用途に応じて状態又はレベル指示器として作用し得る。最も単純な形態において、ＵＶ−ＬＥＤ６０により作動させられる部分６４が指示器として作用し得る。指示器は機器電源の充電状態、範囲内／外指示、機器の音声モード（無音／可聴）、音声メール待機指示、メッセージ待機指示、アクティブコール指示、特定人物呼び出し指示、緊急／優先呼び出し指示、機器設定、モード又は形態（週末、会社等）等の様々な要素を指示できる。各機能は付加的なハードウェア及びソフトウェアを必要とする対応する指示器及び入力を有してもよい。例えば、特定の人間を認識するためには発信者番号通知サービスが必要とされてもよく、或いは特定モード設定はＧＰＳ受信機又は他のタイミング機器を使用した位置又は時刻の識別を必要とする。
【００１９】
フォトクロミック化合物が使用され得る機器の変形に加えて、ＵＶ線源の色、パターン及び種類もまた更なる多用性が得られるように変更できる。フォトクロミック材料はＵＶ−Ｂと反応するように変更されてもよく、従ってＵＶ−Ａ及びＵＶ−Ｂの両方に反応する材料が基材を被覆するように使用され得る。これにより、使用者に色の選択を与える可能性が広がる。例えば、ＵＶ−Ａ  ＬＥＤ及びＵＶ−Ｂ  ＬＥＤの両方を取り付けることにより、いずれか（又は両方）の色素を照明することができ、この色素は混合され或いは横並びで付与されてもよい。例えば、ＵＶ−ＬＥＤ５４はＵＶ−Ａ  ＬＥＤであり、ＵＶ−Ｂ  ＬＥＤであるＵＶ−ＬＥＤ６０とは異なる波長域で作動する。同様に、部分５６及び５８において使用されるフォトクロミック化合物はＵＶ−Ａと反応するようにカスタマイズされる一方で、部分６４において使用されるフォトクロミック化合物はＵＶ−Ｂ光と反応するようにカスタマイズされ得る。更に、部分５６、５８及び６４はレベル指示を変更させ又は提供する状態指示器を設けるように構成できる。例えば、フォトクロミック化合物の変色強度は、フォトクロミック化合物への紫外線源の見かけ上の強度を変更するようにデューティサイクルを変更することにより変更され得る。部分６４において図示するように、（左から右へ向かう）強度変化は（部分６４におけるより近接するクロスハッチングにより表される）より強い発色により表され得る。或いは、部分５６及び５８において図示するように、強度変化は色変化により影響を受ける部分の寸法によって表され得る。いずれの場合でも、（特定の機器に応じて）これは２〜３例を挙げると例えば、電源の充電レベル、音量レベル、信号強度、不在着信件数、音声メールメッセージ待機件数、燃料レベル、待機メッセージ件数、インクレベル、メモリ使用レベル、利用可能メモリ、写真撮影数、残り時間、燃料レベル及び移動距離を指示するために使用されてよい。
【００２０】
前述したように、図５の機器５０の表示器６５はまた、特定例において画像又は文字の視認性を強化するようにフォトクロミック化合物を含むことができる。図示するように、表示器６５の画像６７は前述した技術を使用して、周辺部分（６５）に対してより大きなコントラストを有することにより強化され得る。
【００２１】
別の実施形態では、図６の機器１００はフォトクロミック化合物のアプリケーションの多用性を示す。機器１００は上側の図では外部即ち受動ＵＶ線源に露光されるように図示されており、また下側の図では内部即ち能動ＵＶ線源に露光されるように図示されている。この例では、機器１００は少なくとも１個のフォトクロミック化合物及びハウジング部内の光電池等の少なくとも１個の光センサ１０４を有する（部分１１１又はＬＣＤレンズ１０６を含む）ハウジング部１０２を含む。ハウジング部１０２（特にレンズ１０６）は外部光源がハウジング部を介して光センサ１０４を通電させることを可能にする。機器は更にＵＶ−ＬＥＤ１０８，１０９及び光導体１１０等のハウジング部の色を選択的に変更する内部ＵＶ線源を含んでもよい。一実施形態において、フォトクロミック材料はレンズ１０６等の透明なハウジングの内面に付与され得ると共に、ハウジングはＵＶを通過させない材料から構成され得る。換言すると、内部のフォトクロミック化合物による反応が機
器内の紫外線源のみによって制御されるように、機器は外部紫外線源を受け付けないように構成され得る。これにより、機器は太陽光の中では変色せず、内部ＵＶ  ＬＥＤ（１０８及び１０９）により照射された時にのみ変色する。当然のことながら、これはプラスチックの実際の透過率に左右される。
【００２２】
更に別の態様では、機器１００は中にフォトクロミック化合物も含む複数のキー又はファンクションボタン１１２を示す。機器がマルチモード又はマルチファンクション機器であるならば、変色し更に変色に対応して機能を変更する少なくとも１個のファンクションボタン又はキーを有するように機器を構成できる。本態様と合せて、光センサ１０４は変色に対応した機能変更を可能にする外部光源として作用し得る。従って例えば、機器１００が計算機及び時計付きラジオの結合物であるならば、ファンクションボタン１１２は外部ＵＶ線源に露光された時には計算機の数字及び機能キーパッドとして作用し、外部ＵＶ線源に露光されていない時には同じファンクションボタン１１２は時計付きラジオのファンクションキー（例えばスヌーズボタンまたはラジオ局チューニングプリセット）として作用し得る。アプリケーション数は無限である。例えば、別の実施形態は第１の色で書けると共に太陽光に露光された時に第２の色に変化するフォトクロミックインクを使用するペンであってもよい。
【００２３】
図７を参照すると、少なくとも１個のフォトクロミック化合物を有する機器の外観を選択的に変更させる方法７００を示すフローチャートは、機器の一部を形成する紫外線源を通電する工程７０２と、少なくとも１個のフォトクロミック化合物を有する機器の少なくとも一部を紫外線源に露光させる工程７０４とを含む。ＵＶ線源はＵＶ発光ダイオード（ＬＥＤ）、水銀ランプ又は他のＵＶ光源であってよい。注目すべきは、様々なフォトクロミック化合物が様々な色の間で変色すると共に、様々なＵＶ光波長域もこの化合物に様々な影響を与える。従って、複数のフォトクロミック化合物及び複数のＵＶ光源が使用される場合には、本方法は夫々のフォトクロミック化合物を夫々のＵＶ光源に露光させるために、夫々のＵＶ光源を通電する任意の工程７０６を含み得る。
【００２４】
本方法はまた工程７０８において、フォトクロミック化合物及びＵＶ光源を使用して状態指示を提供する工程を含む。工程７１０において、本方法はまた、少なくとも１個のフォトクロミック化合物を有する機器の一部への見かけ上の紫外線源入射強度を変更する工程を含む。任意で工程７１２において、本方法は更に、機器のフォトクロミック化合物を外部ＵＶ光源を受け付けないようにさせる。
【００２５】
本発明の前述の説明に照らして、本発明はハードウェア、ソフトウェア、及びハードウェア及びソフトウェアの結合物において実現され得ることを認識すべきである。本発明に係るシステムは１個のコンピュータシステム又はプロセッサに集中させられるように実現され、或いは様々な要素が幾つかの相互接続コンピュータシステム又はプロセッサ（マイクロプロセッサ及びＤＳＰ）に亘り拡張させられた分散状態で実現され得る。ここに説明する方法を実行するように構成されたいかなる種類のコンピュータシステム又は他の装置が適当である。一般的なハードウェア及びソフトウェアの結合物は、データが読み込まれ且つ実行された時にここに説明する方法を実行するようにコンピュータシステムを制御するコンピュータプログラムを備えた多目的コンピュータシステムであってよい。
【００２６】
また、上記の説明は例証のみを目的としており、以下の請求項に記載されている場合を除き、いかなる方法によっても本発明を限定することを目的としない。
【図面の簡単な説明】
【００２７】
【図１】製品へのフォトクロミック化合物の既存受動的使用法を示す図。
【図２】ＵＶ光源を有すると共に本発明に係るフォトクロミック化合物を使用する機器を示す図。
【図３】本発明に係るフォトクロミック化合物を有する機器ハウジングを示す図。
【図４】本発明に係るフォトクロミック化合物を有する機器ハウジングを示す別の図。
【図５】本発明に係るフォトクロミック化合物を有する機器を示す図。
【図６】本発明に係るフォトクロミック化合物を有する機器を示す別の図。
【図７】本発明に係るフォトクロミック化合物を使用した機器の外観を選択的に変化させる方法を示すフローチャート。
【図１】
2007508957.tif 000003
【図２】
2007508957.tif 000004
【図３】
2007508957.tif 000005
【図４】
2007508957.tif 000006
【図５】
2007508957.tif 000007
【図６】
2007508957.tif 000008
【図７】
2007508957.tif 000009
【国際調査報告】
2007508957.tif 000010